(57)【特許請求の範囲】
【請求項１】
選択候補となる選択項目をそれぞれ表示する１又は複数の項目表示領域を表示するための選択候補表示領域を含む選択画面を表示する選択画面表示手段と、
ユーザ操作に応じて選択項目表示領域を拡大又は縮小する表示の少なくとも一方を実行する拡縮処理手段と、
ユーザにより選択候補として選択されている選択項目を選択対象として確定する確定操作がされた時点で、ユーザにより選択候補として選択されている選択項目を表示する項目表示領域の表示サイズと予め設定された閾値とが比較された結果、当該項目表示領域の表示サイズが予め設定された閾値以下であった場合に当該選択項目を確認するための確認画面を表示する確認画面表示手段と、
を有することを特徴とする情報処理装置。
【請求項２】
前記選択画面表示手段は、選択画面に表示される当該選択項目に関連する属性値の少なくとも１つを設定変更可能に表示することを特徴とする請求項１に記載の情報処理装置。
【請求項３】
コンピュータを、
選択候補となる選択項目をそれぞれ表示する１又は複数の項目表示領域を表示するための選択候補表示領域を含む選択画面を表示する選択画面表示手段、
ユーザ操作に応じて選択項目表示領域を拡大又は縮小する表示の少なくとも一方を実行する拡縮処理手段、
ユーザにより選択候補として選択されている選択項目を選択対象として確定する確定操作がされた時点で、ユーザにより選択候補として選択されている選択項目を表示する項目表示領域の表示サイズと予め設定された閾値とが比較された結果、当該項目表示領域の表示サイズが予め設定された閾値以下であった場合に当該選択項目を確認するための確認画面を表示する確認画面表示手段、
として機能させるためのプログラム。
【発明の詳細な説明】
【技術分野】
【０００１】
本発明は、情報処理装置及びプログラムに関する。
【背景技術】
【０００２】
メニュー画面上に表示された選択部の中から所望の選択部をユーザに押下させることによって選択された処理を実行する場合において、隣接して設けられた各選択部が押下する指先に対して相対的に小さい場合、指先で複数の選択部が同時に押下されてしまう場合がある。このように、複数の選択部の押下が検出された場合に、選択した選択部をユーザに確認させるための操作ボタンをメニュー画面上に別途表示して、ユーザにその操作ボタンを操作させることで所望の選択部を確定させる技術が提案されている（例えば、特許文献１）。
【先行技術文献】
【特許文献】
【０００３】
【特許文献１】特開２００５−３２７０６４号公報
【発明の概要】
【発明が解決しようとする課題】
【０００４】
本発明は、１つの選択項目が選択された場合でも、当該選択項目を表示する項目表示領域の表示サイズが所定のサイズより小さいと判断した場合には当該選択項目を確認するための確認画面を表示することを目的とする。
【課題を解決するための手段】
【０００５】
本発明に係る情報処理装置は、選択候補となる選択項目をそれぞれ表示する１又は複数の項目表示領域を表示するための選択候補表示領域を含む選択画面を表示する選択画面表示手段と、ユーザ操作に応じて選択項目表示領域を拡大又は縮小する表示の少なくとも一方を実行する拡縮処理手段と、ユーザにより選択候補として選択されている選択項目を選択対象として確定する確定操作がされた時点で、ユーザにより選択候補として選択されている選択項目を表示する項目表示領域の表示サイズと予め設定された閾値とが比較された結果、当該項目表示領域の表示サイズが予め設定された閾値以下であった場合に当該選択項目を確認するための確認画面を表示する確認画面表示手段と、を有することを特徴とする。
【０００６】
また、前記選択画面表示手段は、選択画面に表示される当該選択項目に関連する属性値の少なくとも１つを設定変更可能に表示することを特徴とする。
【０００７】
本発明に係るプログラムは、コンピュータを、選択候補となる選択項目をそれぞれ表示する１又は複数の項目表示領域を表示するための選択候補表示領域を含む選択画面を表示する選択画面表示手段、ユーザ操作に応じて選択項目表示領域を拡大又は縮小する表示の少なくとも一方を実行する拡縮処理手段、ユーザにより選択候補として選択されている選択項目を選択対象として確定する確定操作がされた時点で、ユーザにより選択候補として選択されている選択項目を表示する項目表示領域の表示サイズと予め設定された閾値とが比較された結果、当該項目表示領域の表示サイズが予め設定された閾値以下であった場合に当該選択項目を確認するための確認画面を表示する確認画面表示手段、として機能させるためのものである。
【発明の効果】
【０００８】
請求項１記載の発明によれば、１つの選択項目が選択された場合でも、当該選択項目を表示する項目表示領域の表示サイズが所定のサイズより小さいと判断した場合には当該選択項目を確認するための確認画面を表示することができる。
【０００９】
請求項２記載の発明によれば、選択画面から、当該選択項目に関連する属性値の設定を
変更させることができる。
【００１０】
請求項３記載の発明によれば、１つの選択項目が選択された場合でも、当該選択項目を表示する項目表示領域の表示サイズが所定のサイズより小さいと判断した場合には当該選択項目を確認するための確認画面を表示することができる。
【図面の簡単な説明】
【００１１】
【図１】本発明に係る情報処理装置の一実施の形態を示したブロック構成図である。
【図２】実施の形態１における情報処理装置を搭載した画像形成装置のハードウェア構成図である。
【図３】実施の形態１における宛先設定処理を示したフローチャートである。
【図４】実施の形態１において操作パネルに表示される宛先設定画面の一例を示した図である。
【図５】図４において、項目表示領域を拡大表示したときの宛先設定画面の一例を示した図である。
【図６】実施の形態１において操作パネルに表示される詳細画面の一例を示した図である。
【図７】実施の形態１においてユーザにより選択された送信先を宛先として追加したときの宛先設定画面の表示例を示した図である。
【図８】実施の形態２における宛先設定処理を示したフローチャートである。
【図９】図８における複数選択用処理を示したフローチャートである。
【図１０】実施の形態２において複数の送信先が宛先として選択された場合の宛先設定画面の表示例を示した図である。
【図１１】実施の形態２においてユーザにより選択された送信先を宛先として追加したときの宛先設定画面の表示例を示した図である。
【図１２】実施の形態２において複数の送信先が選択されたときに表示される詳細画面の一例を示した図である。
【図１３】図１２において、項目表示領域を拡大表示したときの詳細画面の表示例を示した図である。
【図１４】実施の形態３において操作パネルに表示される印刷設定画面の一例を示した図である。
【図１５】図１４において、項目表示領域を拡大表示したときの印刷設定画面の一例を示した図である。
【図１６】実施の形態３において操作パネルに表示される詳細画面の一例を示した図である。
【図１７】図１５において、項目表示領域を拡大表示したときの印刷設定画面の一例を示した図である。
【図１８】実施の形態４において複数の文書が選択されたときに表示される印刷設定画面の一例を示した図である。
【図１９】実施の形態４において操作パネルに表示される詳細画面の一例を示した図である。
【発明を実施するための形態】
【００１２】
以下、図面に基づいて、本発明の好適な実施の形態について説明する。
【００１３】
実施の形態１．
図１は、本発明に係る情報処理装置の一実施の形態を示したブロック構成図である。本実施の形態における情報処理装置１０は、ユーザインタフェース手段として操作パネルを有し、コピー、印刷、スキャナ等の各種画像処理が実行される画像形成装置に搭載されたコンピュータを想定している。図２は、本実施の形態における情報処理装置１０を搭載した画像形成装置のハードウェア構成図である。
【００１４】
図２において、ＣＰＵ２１は、ＲＯＭ２９に格納されたプログラムにしたがってスキャナ２４やプリンタエンジン２６等本装置に搭載された各種機構の動作制御を行う。アドレスデータバス２２は、ＣＰＵ２１の制御対象となる各種機構と接続してデータの通信を行う。操作パネル２３は、設定画面等を通じて情報の表示を行い、またユーザからの指示を受け付けるユーザインタフェース装置である。スキャナ２４は、ユーザがセットした原稿を読み取り、電子データとしてＨＤＤ（Ｈａｒｄ  Ｄｉｓｋ  Ｄｒｉｖｅ）２５等に蓄積する。ＨＤＤ２５は、スキャナ２４を使用して読み取った電子文書などを格納する。プリンタエンジン２６は、ＣＰＵ２１で実行される制御プログラムからの指示に従い出力用紙上に画像を印字する。ネットワークインタフェース（Ｉ／Ｆ）２７は、ネットワーク３１を接続し、本装置が生成したファクシミリ画像データ等の電子データの送信、本装置宛に送信されてきた電子メールの受信、またブラウザ経由による本装置へのアクセスなどに利用される。ＲＡＭ２８は、プログラム実行時のワークメモリや電子データ送受信時の通信バッファとして利用される。ＲＯＭ２９は、本装置で実行される画像処理やその処理制御、また電子データの暗号、電子データの送受信に関する各種プログラム、各種設定画面等が格納されている。各種プログラムが実行されることで後述する各構成要素が所定の処理機能を発揮する。ＦＡＸエンジン３０は、ＣＰＵ２１で実行される制御プログラムからの指示に従いネットワークインタフェース（Ｉ／Ｆ）２７を介してファクシミリ画像データの送受信を行う。
【００１５】
図１に戻り、本実施の形態における情報処理装置１０は、ユーザインタフェース（ＵＩ）部１１、情報処理部１２、送信先情報記憶部１３及び閾値記憶部１４を有している。ユーザインタフェース（ＵＩ）部１１は、操作パネル２３と協調動作することで実現されるユーザインタフェース手段であり、操作受付部１１１及び表示処理部１１２を有する。表示処理部１１２は、情報処理部１２と連携動作することで選択画面表示手段、拡縮処理手段及び確認画面表示手段として機能する。すなわち、表示処理部１１２は、選択候補となる選択項目（本実施の形態においてはファクシミリ画像データの送信先）をそれぞれ表示する１又は複数の項目表示領域を表示するための選択候補表示領域を含む選択画面を表示する。また、表示処理部１１２は、ユーザ操作に応じて項目表示領域を拡大又は縮小する表示の少なくとも一方を実行する。更に、表示処理部１１２は、ユーザにより選択候補として選択されている選択項目を選択対象として確定する確定操作がされた時点で、ユーザにより選択候補として選択されている選択項目を表示する項目表示領域の表示サイズが予め設定された閾値以下であった場合に当該選択項目を確認するための確認画面を表示する。操作受付部１１１は、操作パネル２３に表示された画面上におけるユーザによる操作を受け付ける。
【００１６】
情報処理部１２は、ユーザにより指示された内容に従って情報処理を実行する。本実施の形態においては、ユーザインタフェース部１１と連携して、設定画面に表示された宛先候補の中からユーザにより選択された宛先へファクシミリ画像データを送信するＦＡＸ送信処理を実行する。送信先情報記憶部１３には、部署名や企業、事業所名等ファクシミリ画像データの送信先を特定する宛先識別情報、当該送信先のＦＡＸ番号などを含む送信先情報が予め登録されている。閾値記憶部１４には、ユーザにより選択候補として選択されている選択項目を表示する項目表示領域の表示サイズと比較するために予め設定された閾値が記憶されている。
【００１７】
情報処理装置１０における各構成要素１１，１２は、情報処理装置１０を形成するコンピュータと、コンピュータに搭載されたＣＰＵ２１で動作するプログラムとの協調動作により実現される。また、各記憶部１３，１４は、情報処理装置１０に搭載されたＨＤＤ２５又はＲＡＭ２８にて実現される。あるいは、ネットワークＩＦ２７を介してアクセス可能な外部記憶装置を利用して実現してもよい。
【００１８】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵ２１がプログラムを順次実行することで各種処理が実現される。
【００１９】
次に、本実施の形態における動作について説明する。本実施の形態では、図３に示したフローチャートを用いて、ファクシミリ画像データの宛先を設定するための処理を例にして説明する。
【００２０】
まず、操作パネル２３に表示されている所定の機能選択画面の中からＦＡＸ送信機能が選択されると、情報処理部１２は、送信先情報記憶部１３に登録されている送信先情報を読み出し、選択候補となる送信先の各送信先情報を所定の設定画面に組み込んで表示処理部１１２に表示させる（ステップ１０１）。図４は、本実施の形態において操作パネル２３に表示される宛先設定画面の一例を示した図である。この宛先設定画面における選択候補表示領域４１には、送信先情報記憶部１３に登録されている送信先情報をそれぞれ表示する項目表示領域４２が設けられている。図４では、１０の宛先が選択可能に一覧表示されているが、スクロールバーを操作することで他の宛先も選択することが可能になる。
【００２１】
項目表示領域４２の大きさからして送信先情報に含まれる全ての項目情報を一度に表示することはできない。また、文字の大きさからして表示内容自体も確認しづらいかもしれない。そこで、ユーザにより項目表示領域４２の大きさを拡大するための操作が行われると（ステップ１０２でＹ）、表示処理部１１２は、その操作に応じて選択候補表示領域４１に表示する項目表示領域４２を拡大表示する（ステップ１０３）。この拡大表示したときの宛先設定画面の表示例を図５に示す。図５に例示したように、表示される宛先の数は１０から３に減少するが、１つの宛先に関しては、送信先情報に含まれるより多くの項目情報、又は全ての項目情報が項目表示領域４２に表示可能になる。
【００２２】
本実施の形態の場合、項目表示領域４２の拡大表示は、図４に矢印４３で示したように操作パネル２３に対し選択候補表示領域４１を拡げるような操作を行うことで実現する。もちろん、その他の操作にて拡大するようにしてもよい。なお、項目表示領域４２が大きすぎることから縮小表示したい場合（ステップ１０２でＹ）、拡大表示とは逆の操作を行って縮小表示させてもよい（ステップ１０３）。
【００２３】
項目表示領域４２の拡大表示又は縮小表示後、あるいは拡大又は縮小させるための操作がされていない状態で（ステップ１０２でＮ）、ユーザは、選択候補表示領域４１に表示された選択候補の中からいずれかの送信先を選択し、その後、設定ボタン４４を押下する。この設定ボタン４４の押下は、ユーザにより選択されている送信先をＦＡＸの宛先として確定する確定操作に相当する。なお、図４では、他の項目表示領域４２と表示形態を異ならせることで“Ａ事業所”が選択されたことを示している。
【００２４】
操作受付部１１１により設定ボタン４４に対する操作が検出されると（ステップ１０４）、情報処理部１２は、その検出がされた時点でユーザにより選択された項目表示領域４２の表示位置を特定する座標データをユーザインタフェース部１１から取得し、その座標データに基づき当該項目表示領域４２の表示サイズを計算により取得する（ステップ１０５）。続いて、情報処理部１２は、閾値記憶部１４から閾値を読み出し、その閾値と、項目表示領域４２の表示サイズとを比較し、当該項目表示領域４２の表示サイズが閾値以下であった場合（ステップ１０６でＹ）、当該項目表示領域４２に表示されている送信先の送信先情報を確認するための確認画面として、詳細画面を表示する（ステップ１０７）。この詳細画面の表示例を図６に示す。図６に例示したように、詳細画面には、ユーザにより選択された送信先の送信先情報に含まれている全ての項目情報が表示される。この詳細画面に表示された内容を見て、この送信先を宛先として追加したくなければ、ユーザは、キャンセルボタン４７を押下する。キャンセルボタン４７の押下を検出すると（ステップ１０８でＮ）、情報処理部１２は、操作パネル２３の表示を、設定ボタン４４が押下された時点の画面に戻す。一方、詳細画面に表示された送信先でよければ、ユーザは、設定ボタン４６を押下する。設定ボタン４６の押下を検出すると（ステップ１０８でＹ）、情報処理部１２は、選択された宛先の一覧を表示する選択候補表示領域４５に、選択された送信先の送信先情報を表示処理部１１２に表示させることで、当該送信先をＦＡＸの宛先リストに追加する（ステップ１０９）。選択された送信先の送信先情報が選択候補表示領域４５に追加されたときの設定画面の表示例を図７に示す。
【００２５】
一方、当該項目表示領域４２の表示サイズが閾値より大きい場合（ステップ１０６でＮ）、情報処理部１２は、詳細画面を表示することなく選択された送信先の送信先情報を選択候補表示領域４５に表示させ、当該送信先をＦＡＸの宛先リストに追加する（ステップ１０９）。
【００２６】
本実施の形態においては、上記説明したように、ユーザにより選択された項目表示領域４２の表示サイズが閾値以下であった場合は、送信先情報に含まれる全ての項目情報を確認できない、あるいは文字の大きさからして表示内容が確認しづらいとみなして、詳細画面を表示するようにした。このことから明らかなように、項目表示領域４２の表示サイズと比較する閾値には、送信先情報に含まれる全ての項目情報を確認できない、あるいは文字の大きさからして表示内容が確認しづらいとする項目表示領域４２の大きさを示すサイズが設定される。本実施の形態の場合、図４に示した項目表示領域４２の表示サイズは閾値以下となる場合の例であり、図５に示した項目表示領域４２の表示サイズは閾値より大きい場合の例である。なお、閾値は、項目表示領域４２に表示する情報量や文字の大きさ、フォント等を参照に適宜設定すればよい。あるいは操作パネル２３を操作するユーザ毎に設定してもよい。操作パネル２３を操作するユーザは、例えば、画像形成装置を使用する際に読み取るＩＣカードやログイン情報等から特定しうる。
【００２７】
実施の形態２．
実施の形態１では、選択候補の中からただ１つの送信先が選択された場合を例にして説明した。本実施の形態では、選択候補の中から複数の送信先が選択された場合について説明する。なお、本実施の形態における装置構成は、実施の形態１と同じでよい。
【００２８】
以下、本実施の形態における動作について図８及び図９に示したフローチャートを用いて説明する。なお、実施の形態１と同じ処理には同じステップ番号を付け、説明を適宜省略する。
【００２９】
ＦＡＸの宛先の候補となる送信先の送信先情報を宛先設定画面に表示し（ステップ１０１）、その中から上位３つの送信先が選択されたとする。この選択された例を図１０に示す。そして、項目表示領域４２の大きさを拡大するためにユーザにより矢印４３方向への操作が行われると（ステップ１０２でＹ）、表示処理部１１２は、その操作に応じて選択候補表示領域４１に表示する項目表示領域４２を拡大表示する（ステップ１０３）。この拡大表示したときの宛先設定画面の表示例は、実施の形態１に例示した図５と同じでよい。但し、図５では識別コード“０００１”の送信先情報のみが選択されているのに対し、本実施の形態では、３つの識別コード“０００１”，“０００２”，“０００３”共選択されている。
【００３０】
そして、設定ボタン４４が押下されたことを検出すると（ステップ１０４）、情報処理部１２は、ユーザにより選択された送信先の送信先情報を表示している項目表示領域４２の表示サイズを計算により取得する（ステップ１０５）。そして、当該項目表示領域４２の表示サイズが閾値より大きい場合（ステップ１０６でＮ）、情報処理部１２は、詳細画面を表示することなく選択された送信先の送信先情報を宛先リスト表示領域４５に表示させ、当該送信先をＦＡＸの宛先リストに追加する（ステップ１０９）。選択された送信先の送信先情報が宛先リスト表示領域４５に追加されたときの設定画面の表示例を図１１に示す。
【００３１】
一方、当該項目表示領域４２の表示サイズが閾値以下であった場合において（ステップ１０６でＹ）、図１０に例示したように複数の送信先がユーザにより選択されていた場合（ステップ２０１でＹ）、後述するように複数選択用処理を実行する（ステップ２１０）。一方、図４に例示したように単一の送信先がユーザにより選択されていた場合には（ステップ２０１でＮ）、実施の形態１で説明した処理を実行する。なお、図８におけるステップ２０２は、図３に示したステップ１０７と同じ処理である。以下、複数選択用処理について図９を用いて説明する。
【００３２】
複数の送信先がユーザにより選択されていた場合、情報処理部１２は、項目表示領域４２それぞれに表示されている送信先の送信先情報を確認するための確認画面として、図１２に例示した詳細画面を表示する（ステップ２１１）。ただ、詳細画面に全ての項目情報が表示されるとは限らないので、図１２に矢印５１で示したようにユーザが選択候補表示領域４１を拡げるような操作を行うと、この操作に応じて項目表示領域４２を拡大表示する。この拡大表示したときの表示例を図１３に示す。
【００３３】
図１２又は図１３に示した詳細画面において、選択した送信先に間違いがあるなどの理由で選択を取り消したい送信先が存在すると、ユーザは、その送信先を選択した後、削除ボタン５３を押下する。この操作に応じて、情報処理部１２は、選択された送信先を選択候補の中から削除する。例えば識別コード“０００１”の送信先情報が削除されると、図１２又は図１３から識別コード“０００１”の送信先情報が消去され、識別コード “０００２”，“０００３” の送信先情報が表示される。
【００３４】
一方、選択した送信先で問題ないことから設定ボタン５２が押下されると、この操作に応じて、情報処理部１２は、図８に戻り、選択された複数の送信先の送信先情報を宛先リスト表示領域４５に表示させることで、当該送信先をＦＡＸの宛先リストに追加する（ステップ１０９）。
【００３５】
実施の形態３．
上記各実施の形態においては、ＦＡＸ送信する際の宛先を設定する場合を例にして説明した。本実施の形態においては、文書一覧の中から印刷対象とする文書を選択する場合を例にして説明する。本実施の形態における構成は、実施の形態１と同じでよい。但し、送信先情報記憶部１３に対応する記憶手段には、印刷候補となる文書に関する文書情報が記憶される。
【００３６】
以下に、本実施の形態における動作について説明する。本実施の形態の場合、実施の形態１，２と異なり、選択候補として取り扱う選択項目がＦＡＸの送信先に代えて文書となり、また、情報処理部１２が実施する情報処理は、印刷処理になる。ただ、基本的な処理の内容自体は、実施の形態１と同じである。つまり、図３における送信先情報を文書情報と、設定ボタンをプリント実行ボタンと、宛先リストを文書リストと、それぞれ読み替えれば、本実施の形態における処理は、図３と同じでよいので、図３を用いて本実施の形態における処理を説明する。なお、重複する説明は適宜省略する。
【００３７】
操作パネル２３に表示されている所定の機能選択画面の中から印刷機能が選択されると、情報処理部１２は、文書情報記憶部に登録されている文書情報を読み出し、選択候補となる文書の各文書情報を所定の設定画面に組み込んで表示処理部１１２に表示させる（ステップ１０１）。図１４は、本実施の形態において操作パネル２３に表示される印刷設定画面の一例を示した図である。
【００３８】
ユーザにより項目表示領域６２の大きさを拡大するための操作、具体的には操作パネル２３上において矢印６３で示したように選択候補表示領域６１を拡げるような操作が行われると（ステップ１０２でＹ）、表示処理部１１２は、その操作に応じて選択候補表示領域６１に表示する項目表示領域６２を拡大表示する（ステップ１０３）。この拡大表示したときの印刷設定画面の表示例を図１５に示す。
【００３９】
項目表示領域６２の拡大表示又は縮小表示後、あるいは拡大又は縮小させるための操作がされていない状態で（ステップ１０２でＮ）、ユーザは、選択候補表示領域６１に表示された選択候補の中からいずれかの文書を選択する。全文書選択ボタン６５を押下すると、選択候補表示領域６１に表示される全ての文書が選択される。ここでは、１つの文書を選択することにする。図１４では、他の項目表示領域と表示形態を異ならせることで“ダイアログ仕様書”が選択されたことを示している。ユーザは、印刷したい文書を選択した後、プリント実行ボタン６４を押下する。このプリント実行ボタン６４の押下は、ユーザにより選択されている文書を印刷対象として確定する確定操作に相当する。
【００４０】
プリント実行ボタン６４が押下されたことを検出すると（ステップ１０４）、情報処理部１２は、ユーザにより選択された文書の文書情報を表示している項目表示領域６２の表示サイズを算出する（ステップ１０５）。そして、当該項目表示領域６２の表示サイズが閾値より大きい場合（ステップ１０６でＮ）、情報処理部１２は、詳細画面を表示することなく選択された文書を文書リストに追加する（ステップ１０９）。その後、情報処理部１２は、文書リストに登録された文書の印刷を開始する。
【００４１】
一方、当該項目表示領域６２の表示サイズが閾値以下であった場合（ステップ１０６でＹ）、当該項目表示領域６２に表示されている文書情報を確認するための確認画面として、詳細画面を表示する（ステップ１０７）。この詳細画面の表示例を図１６に示す。図１６に例示したように、詳細画面には、ユーザにより選択された文書の文書情報に含まれている全ての項目情報が表示される。この詳細画面に表示された内容を見て、この文書を印刷したくなければ、ユーザは、キャンセルボタン６６を押下する。キャンセルボタン６６の押下を検出すると（ステップ１０８でＮ）、情報処理部１２は、操作パネル２３の表示を、プリント実行ボタン６４が押下された時点の画面に戻す。一方、詳細画面に表示された文書でよければ、ユーザは、プリント実行ボタン６７を押下する。プリント実行ボタン６７の押下を検出すると（ステップ１０８でＹ）、情報処理部１２は、選択された文書を文書リストに追加する（ステップ１０９）。その後、情報処理部１２は、文書リストに登録された文書の印刷を開始する。
【００４２】
ところで、詳細画面に表示されている項目情報のうち文書の印刷属性情報６８は、詳細画面において変更可能である。具体的には、詳細画面上からカーラーモードはカラー／白黒の印刷が選択でき、両面プリントは片面／両面が選択でき、綴じは印刷用紙を綴じる（有り）か綴じないか（無し）を選択できる。このように、印刷設定画面上から属性値の設定を変更できるようにしてもよい。
【００４３】
また、図１５に示したように拡大表示した後、矢印６９で示したように選択候補表示領域６１を更に拡げるような操作が１又は複数回行われることで拡大表示したときの印刷設定画面の表示例を図１７に示す。図１７に例示したように、印刷属性情報が表示できるほど拡大された場合には、図１６に示した詳細画面と同様に、表示された画面上で文書の印刷属性情報を変更できるようにしてもよい。
【００４４】
実施の形態４．
実施の形態３では、選択候補の中からただ１つの文書が選択された場合を例にして説明した。本実施の形態では、選択候補の中から複数の文書が選択された場合について説明する。なお、本実施の形態における装置構成は、実施の形態３と同じでよい。
【００４５】
以下に、本実施の形態における動作について説明するが、実施の形態１と実施の形態３と同様、本実施の形態では、実施の形態２における送信先情報を文書情報と、設定ボタンをプリント実行ボタンと、宛先リストを文書リストと、それぞれ読み替えれば、本実施の形態における処理は、図８及び図９と同じでよい。
【００４６】
本実施の形態において、ユーザにより複数の文書が選択されたとする。図１８では、“ダイアログ仕様書”、“プロジェクト計画書”及び“月次報告書”の３文書が選択された例を示している。複数の文書が選択された後、プリント実行ボタン６４が押下されたことを検出すると（ステップ１０４）、情報処理部１２は、ユーザにより選択された文書の文書情報を表示している項目表示領域６２の表示サイズを算出し、その算出した項目表示領域６２の表示サイズが閾値より大きい場合（ステップ１０６でＮ）、情報処理部１２は、詳細画面を表示することなく選択された文書を文書リストに追加する（ステップ１０９）。その後、情報処理部１２は、文書リストに登録された文書の印刷を開始する。
【００４７】
一方、当該項目表示領域６２の表示サイズが閾値以下であった場合（ステップ１０６でＹ）、当該項目表示領域６２に表示されている文書情報を確認するための確認画面として、詳細画面を表示する（ステップ１０７）。この操作パネル２３に表示される詳細画面の一例を図１９に示す。
【００４８】
図１９に示した詳細画面において、選択した文書に間違いがあるなどの理由で選択を取り消したい文書が存在すると、ユーザは、その文書を選択した後、削除ボタン７１を押下する。この操作に応じて、情報処理部１２は、選択された文書を選択候補の中から削除する。一方、選択した文書で問題ないことからプリント実行ボタン７０が押下されると、この操作に応じて、情報処理部１２は、図８に戻り、当該複数の文書を文書リストに追加する（ステップ１０９）。その後、情報処理部１２は、文書リストに登録された文書の印刷を開始する。
【００４９】
なお、図１９において、矢印７２で示したような拡大操作によって各項目表示領域６２の表示サイズが、印刷属性情報が表示できるほど拡大された場合には、図１９に示した詳細画面上で文書の印刷属性情報を変更できるようにしてもよい。
【００５０】
以上説明したように、上記実施の形態１，２ではＦＡＸ送信先を、上記実施の形態３，４では印刷対象とする文書を、それぞれ選択項目の例として説明したが、その他の選択項目を設定対象としてもよい。また、上記各実施の形態では、単一の選択項目が設定された場合と、複数の選択項目が設定された場合と、で分けて説明したが、当然ながら組み合わせて実施してもよい。
【００５１】
また、上記各実施の形態においては、情報処理装置を画像形成装置に搭載して、画像形成装置が有する操作パネル２３に対して画面を指先でなぞる操作によって、表示された項目表示領域を拡大又は縮小させるインタフェースとした。ただ、情報処理装置を、操作パネルを有する画像形成装置以外の情報端末装置等に搭載させてもよい。また、操作パネルを有していない装置においては、例えば拡大及び縮小のためのボタンを画面に表示し、このボタン操作により項目表示領域を拡大又は縮小させるインタフェースとしてもよい。
【符号の説明】
【００５２】
１０  情報処理装置、１１  ユーザインタフェース部、１２  情報処理部、１３  送信先情報記憶部、１４  閾値記憶部、２１  ＣＰＵ、２２  アドレスデータバス、２３  操作パネル、２４  スキャナ、２５  ハードディスクドライブ（ＨＤＤ）、２６  プリンタエンジン、２７  ネットワークインタフェース（Ｉ／Ｆ）、２８  ＲＡＭ、２９  ＲＯＭ、３０  ＦＡＸエンジン、３１  ネットワーク、１１１  操作受付部、１１２  表示処理部。
【図１】
0005891856.tif 000002
【図２】
0005891856.tif 000003
【図３】
0005891856.tif 000004
【図４】
0005891856.tif 000005
【図５】
0005891856.tif 000006
【図６】
0005891856.tif 000007
【図７】
0005891856.tif 000008
【図８】
0005891856.tif 000009
【図９】
0005891856.tif 000010
【図１０】
0005891856.tif 000011
【図１１】
0005891856.tif 000012
【図１２】
0005891856.tif 000013
【図１３】
0005891856.tif 000014
【図１４】
0005891856.tif 000015
【図１５】
0005891856.tif 000016
【図１６】
0005891856.tif 000017
【図１７】
0005891856.tif 000018
【図１８】
0005891856.tif 000019
【図１９】
0005891856.tif 000020